(57)【要約】【課題】ダイジェスト視聴の対象となるスポーツ映像の映像区間をより正確に抽出すること。【解決手段】イベント区間補正装置１００は、スポーツ映像記憶部１０のスポーツ映像に含まれるテロップを検出するテロップ検出部１１と、上記テロップのうち、あらかじめ設定されている特定のテロップを抽出し、当該特定のテロップが変化した前後の時間的な区間をイベント区間として抽出するイベント区間抽出部１３とを有する。さらに、このイベント区間補正装置１００は、イベント区間内に、特定のテロップの表示が最後に消えた時間を抽出し、その時間から一定時間遡った時間を当該イベント区間の開始点とする補正を行う第１補正部１６と、補正されたイベント区間を外部出力する出力部１８とを有する。【選択図】図１
2007274400.tif 000002
【特許請求の範囲】
【請求項１】
テロップを含むスポーツ映像を記憶するスポーツ映像記憶部と、
前記スポーツ映像記憶部の前記スポーツ映像から、当該スポーツ映像に含まれる前記テロップを検出するテロップ検出部と、
前記テロップ検出部に検出された前記テロップのうち、あらかじめ設定されている特定のテロップを抽出し、当該特定のテロップが変化した前後の時間的な区間をイベント区間として抽出するイベント区間抽出部と、
前記イベント区間抽出部に抽出されたイベント区間内に、前記特定のテロップの表示が最後に消えた時間を抽出し、その時間から一定時間遡った時間を当該イベント区間の開始点とする補正を行う第１補正部と、
前記第１補正部に補正されたイベント区間を外部出力する出力部と、
を含む、スポーツ映像のイベント区間補正装置。
【請求項２】
前記スポーツ映像のテロップには、前記特定のテロップとは異なる別のテロップが含まれ、
前記イベント区間抽出部に抽出されたイベント区間内に、前記別のテロップが最初に表示された時間を当該イベント区間の終了点とする補正を行う第２補正部をさらに含む、
請求項１に記載のスポーツ映像のイベント区間補正装置。
【請求項３】
前記スポーツ映像は、野球中継の映像情報であり、
前記特定のテロップとして、ストライク（Ｓ）、ボール（Ｂ）およびアウト（Ｏ）の３カウントを含むＳＢＯテロップと、ランナーの進塁状況を示す進塁状況テロップと、スコアの状況を示すスコアテロップとがあらかじめ設定されている場合、
前記イベント区間抽出部は、
前記イベント区間を抽出する際、前記ＳＢＯテロップの一部であるアウトカウント、前記進塁状況テロップおよびスコアテロップが変化した前後の時間的な区間を、それぞれイベント区間として抽出し、
前記第１補正部は、
前記イベント区間の開始点とする補正を行う際、前記ＳＢＯテロップの表示が最後に消えた時間をイベント区間の開始点とする補正を行う、
請求項１に記載のスポーツ映像のイベント区間補正装置。
【請求項４】
前記別のテロップは、各野球チームの各回毎のスコアを示すスコア一覧テロップであり、
前記第２補正部は、
前記イベント区間の終了点とする補正を行う際、前記スコア一覧テロップが最初に表示された時間をイベント区間の終了点とする補正を行う、
請求項２に記載のスポーツ映像のイベント区間補正装置。
【請求項５】
テロップを含むスポーツ映像を記憶するスポーツ映像記憶部を含むコンピュータに用いられるイベント区間補正方法であって、
前記コンピュータは、
前記スポーツ映像記憶部の前記スポーツ映像から、当該スポーツ映像に含まれる前記テロップを検出するステップと、
前記検出した前記テロップのうち、あらかじめ設定されている特定のテロップを抽出し、当該特定のテロップが変化した前後の時間的な区間をイベント区間として抽出するステップと、
前記抽出したイベント区間内に、前記特定のテロップの表示が最後に消えた時間を抽出し、その時間から一定時間遡った時間を当該イベント区間の開始点とする補正を行うステップと、
前記補正したイベント区間を外部出力するステップと、
を含む、イベント区間補正方法。
【請求項６】
前記スポーツ映像のテロップには、前記特定のテロップとは異なる別のテロップが含まれ、
前記コンピュータは、
前記抽出したイベント区間内に、前記別のテロップが最初に表示された時間を当該イベント区間の終了点とする補正を行うステップ、をさらに含む、
請求項５に記載のイベント区間補正方法。
【発明の詳細な説明】
【技術分野】
【０００１】
本発明は、スポーツ映像のイベント区間補正装置に係り、特に、スポーツ映像中のテロップに基づき、ダイジェスト視聴の対象となるイベント区間を補正するイベント区間補正装置に関するものである。
【背景技術】
【０００２】
近年、野球中継などのスポーツ映像をダイジェスト視聴するため、そのスポーツ映像中に表示されるテロップを基に、スポーツ映像のシーンを特定することが多くなっている。
このような状況下において、従来の装置は、映像中のテロップの表示内容が変化するたびに、その映像を分割する。そして、この装置は、そのテロップの表示内容の変化回数に応じて、その変化内容の重要性の程度を示す階層レベルを設定する（例えば、特許文献１）。
また、従来の他の装置は、野球の試合映像とその試合のスコアブックとを対応付けることによって、スコアブックに含まれる情報を試合映像に付与する（例えば、特許文献２）。
【０００３】
【特許文献１】特開２００５−１１７３２２号公報
【特許文献２】特開２００５−２３６５４１号公報
【発明の開示】
【発明が解決しようとする課題】
【０００４】
しかしながら、特許文献１および特許文献２に記載の装置では、いずれも、ダイジェスト視聴の対象となる映像区間を抽出することができるものの、その映像区間を示すイベント区間をより正確に抽出することが困難であった。
そこで、本発明は、上述した不都合を解決するためになされたものであり、その目的は、ダイジェスト視聴の対象となるスポーツ映像のイベント区間をより正確に特定することである。
【課題を解決するための手段】
【０００５】
上記目的を達成するために、本発明は、テロップを含むスポーツ映像を記憶するスポーツ映像記憶部と、上記スポーツ映像記憶部の上記スポーツ映像から、当該スポーツ映像に含まれる上記テロップを検出するテロップ検出部と、を含む。また、本発明は、上記テロップ検出部に検出された上記テロップのうち、あらかじめ設定されている種類の特定のテロップを抽出し、当該特定のテロップが変化した前後の時間的な区間をイベント区間として抽出するイベント区間抽出部と、上記イベント区間抽出部に抽出されたイベント区間内に、上記特定のテロップの表示が最後に消えた時間を抽出し、その時間から一定時間遡った時間を当該イベント区間の開始点とする補正を行う第１補正部と、上記第１補正部に補正されたイベント区間を外部出力する出力部と、を含む。
【発明の効果】
【０００６】
本発明によれば、ダイジェスト視聴の対象となるスポーツ映像の映像区間をより正確に抽出することができる。
【発明を実施するための最良の形態】
【０００７】
以下、本発明の実施の形態について図１ないし図７に基づいて説明する。
図１は、本発明の実施の形態におけるスポーツ映像のイベント区間補正装置の構成例を示す図である。ここでは、スポーツ映像として、プロ野球中継の映像情報を用いた場合を例にして説明するが、本発明の趣旨を逸脱しない限り、これに限られない。例えば、アメリカンフットボールやバスケットボールなどの試合の映像情報を適用してもよい。
図１において、イベント区間補正装置（以下「補正装置」という）１００は、スポーツ映像記憶部１０、テロップ検出部１１、テロップ記憶部１２、イベント区間抽出部１３およびイベント区間記憶部１４を有する。さらに、補正装置１００は、特定テロップ記憶部１５，第１補正部１６、第２補正部１７および出力部１８を有する。本実施の形態では、補正装置１００として、例えばサーバ装置を用いた場合を例にして説明するが、パーソナルコンピュータなどのコンピュータを適用してもよい。
【０００８】
スポーツ映像記憶部１０は、プロ野球中継の映像情報（以下「映像情報」という）を記憶する。具体的には、図２に示すように、スポーツ映像記憶部１０は、時間軸ｔで構成される映像情報（動画像）を記憶する。そして、この映像情報には、ＳＢＯテロップＴ１、進塁状況テロップＴ２、スコアテロップＴ３およびスコア一覧テロップＴ４が含まれている。ＳＢＯテロップＴ１は、ストライクカウント（Ｓ）、ボールカウント（Ｂ）およびアウトカウント（Ｏ）を含むテロップを意味する。
進塁状況テロップＴ２は、ランナーの進塁状況を示すものであり、図２では２塁ランナーがいることが例示されている。
スコアテロップＴ３は、スコアの状況を示すものであり、図２では「Ｘ２−０Ｙ」のスコア状況が例示されている。このスコアテロップＴ３は、ＳＢＯテロップＴ１と同時に表示される。
スコア一覧テロップＴ４は、各チームの各回毎のスコアを示すものであり、図２では２回表までのＸチームとＹチームのスコアが例示されている。このスコア一覧テロップＴ４は、イニングの終了時に表示される。
【０００９】
なお、図２には、４種類のテロップＴ１、Ｔ２、Ｔ３、Ｔ４が示されているが、映像情報には、イニング（例えば２回表）やピッチャーの急速（例えば１５０km/h）などの各種テロップも含むものとする。本実施の形態において、テロップというのは表示の意であり、その形態は問わない。
【００１０】
図１に戻って、テロップ検出部１１は、スポーツ映像記憶部１０の映像情報の中から、上述したテロップを検出してテロップ記憶部１２に登録する。このとき登録されたテロップは、時刻に対応付けられている。これにより、テロップの表示時刻および消去時刻が特定可能になっている。
【００１１】
イベント区間抽出部１３は、テロップ記憶部１２に登録されたテロップのうち、あらかじめ設定されている特定のテロップを抽出する。ここでいう特定のテロップは、映像情報の特性などから、ダイジェスト視聴の対象となるシーン（あるいはその前後）に表示される可能性の高いものである。本実施の形態では、映像情報がプロ野球中継の映像情報であるので、その特性などから、特定のテロップとして、例えば、ＳＢＯ、進塁状況およびスコアを含む３種類のテロップＴ１、Ｔ２、Ｔ３（図２参照）をあらかじめ設定しておく。ただし、他の種類のテロップを特定のテロップに適用してもよい。
そして、イベント区間抽出部１３は、上述した特定のテロップが変化する前後の時間的な映像区間をイベント区間として抽出する。ここでいうイベント区間は、ダイジェクト視聴の対象となる区間となり、この区間の映像が、ダイジェスト視聴の際に注目シーンとして連続再生され得る。
【００１２】
このイベント区間抽出部１３の抽出例を図３に示す。この例では、イベント区間抽出部１３は、ＳＢＯテロップＴ１、進塁状況テロップＴ２およびスコアテロップＴ３を特定のテロップとして抽出する。
そして、イベント区間抽出部１３は、ＳＢＯテロップＴ１の一部であるアウトカウント（Ｏ）が変化した前後（「０」→「１」：ノーアウトからワンアウトに変化したことを示す）の時間軸ｔ上の映像区間をイベント区間として抽出している。具体的には、このときのイベント区間は、時刻ｔ１のイベントのＩＮ点（開始点）と時刻ｔ２のイベントのＯＵＴ点（終了点）との間の区間になっている。
【００１３】
また、イベント区間抽出部１３は、進塁状況テロップＴ２が変化した前後（「０」→「１」：ランナーが１つ進塁したことを意味する）の時間軸ｔ上の映像区間をイベント区間として抽出している。具体的には、このときのイベント区間は、時刻ｔ３から時刻ｔ４までの区間になっている。なお、ここでいう進塁状況テロップＴ２が変化したとは、進塁状況テロップＴ２に示されたランナー状況が変化したことを意味する。
さらに、イベント区間抽出部１３は、スコアテロップＴ３が変化した前後（「０」→「２」：２得点追加したことを意味する）の時間軸ｔ上の映像区間をイベント区間として抽出している。具体的には、このときのイベント区間は、時刻ｔ５から時刻ｔ６までの区間になっている。なお、ここでいうスコアテロップＴ３が変化したとは、スコアテロップＴ３に示されたスコアが変化したことを意味する。
このようにしてイベント区間抽出部１３は、複数のイベント区間を抽出する。
【００１４】
図１に戻って、イベント区間記憶部１４は、イベント区間抽出部１３に抽出されたイベント区間（図３参照）を記憶する。また、特定テロップ記憶部１５は、イベント区間抽出部１３に抽出された特定のテロップを記憶する。このとき記憶される特定のテロップは、時間的に最新のものとなるが、この点は後述する。
【００１５】
第１補正部１６は、イベント区間抽出部１３に抽出されたイベント区間内に、上述したＳＢＯテロップＴ１（図２参照）の表示が最後に消えた時刻を抽出する。そして、第１補正部１６は、その時刻から一定時間遡った時刻を当該イベント区間のＩＮ点とする補正を行う。なお、本実施の形態では、ＳＢＯテロップＴ１の表示が最後に消えた時刻をイベント区間のＩＮ点としているが、進塁状況テロップＴ２またはスコアテロップＴ３を適用してもよい。
【００１６】
第２補正部１７は、イベント区間抽出部１３により抽出されたイベント区間内に、上述したスコア一覧テロップＴ４（図２参照）が最初に表示された時刻を当該イベント区間のＯＵＴ点とする補正を行う。
【００１７】
出力部１８は、第１補正部１６により補正されたイベント区間、および第２補正部１７により補正されたイベント区間を外部装置（例えばコンピュータ）に出力する。あるいは、出力部１８は、第１補正部１６および第２補正部１７により補正されたイベント区間を外部装置（例えばコンピュータ）に出力する。
【００１８】
なお、本実施の形態において、上述した各記憶部１０、１２〜１５としては、メモリやハードディスクなどの記憶装置が該当し、上述した各部１１、１３、１６〜１８としては、ＣＰＵなどの処理装置が該当する。そして、上述した各部１１、１３、１６〜１８は、上述した記憶装置に格納された抽出プログラムに従って動作する。この抽出プログラムは、ＣＤ−ＲＯＭなどのコンピュータ読み取り可能な媒体から読み出されたものであってもよい。
【００１９】
次に、補正装置１００の処理例について図４ないし図７に基づいて説明する。
図４は、テロップ検出部１１およびイベント区間抽出部１３の処理例を示すフローチャートである。ここでは、ダイジェスト視聴の対象となる映像情報（図２参照）がスポーツ映像記憶部１０に記憶されているものとして説明する。
まず、イベント区間抽出部１３は、特定テロップ記憶部１５を初期化する（Ｓ１０１）。すなわち、イベント区間抽出部１３は、特定テロップ記憶部１５内の情報をゼロクリアにする。
【００２０】
続いて、テロップ検出部１１（補正装置１００）は、スポーツ映像記憶部１０に記憶されているすべての映像情報（図２参照）についての検出処理が終了したかどうかを判断する（Ｓ１０２）。そして、終了したと判断された場合（Ｓ１０２のＹｅｓ）、処理を終了し、他方、終了していないと判断された場合（Ｓ１０２のＮｏ）、テロップ検出部１１は、スポーツ映像記憶部１０の映像情報の中から、テロップを検出する（Ｓ１０３）。これを詳述する。テロップ検出部１１は、テロップを検出してテロップ記憶部１２に登録する。
【００２１】
次に、イベント区間抽出部１３（補正装置１００）は、テロップ記憶部１２のテロップを参照して、Ｓ１０３で検出されたテロップが特定のテロップかどうかを判断し、特定のテロップでなければ（Ｓ１０４のＮｏ）、Ｓ１０２に戻り、他方、特定のテロップであれば（Ｓ１０４のＹｅｓ）、Ｓ１０５に進む。本実施の形態においては、特定のテロップとして、ＳＢＯテロップＴ１、進塁状況テロップＴ２およびスコアテロップＴ３の３種類のテロップが該当する。
【００２２】
Ｓ１０５において、イベント区間抽出部１３は、その直前に抽出した特定のテロップとの比較を行う。具体的には、イベント区間抽出部１３は、Ｓ１０４で判断した特定のテロップと、特定テロップ記憶部１５に記憶されている特定のテロップ（Ｓ１０１の初期化後はゼロの情報）とを比較する。
そして、イベント区間抽出部１３は、上述した比較において不一致かどうかを判断し、一致すれば（Ｓ１０６のＮｏ）、Ｓ１０２に戻り、他方、不一致であれば（Ｓ１０６のＹｅｓ）、Ｓ１０７に進む。
【００２３】
Ｓ１０７において、イベント区間抽出部１３は、Ｓ１０６で不一致と判断した特定のテロップを特定テロップ記憶部１５に登録する。具体的には、イベント区間抽出部１３は、Ｓ１０６で不一致と判断した特定のテロップを特定テロップ記憶部１５に最新の特定のテロップとして更新し、それ以前に登録した特定のテロップを特定テロップ記憶部１５から消去する。
【００２４】
次に、イベント区間抽出部１３は、Ｓ１０７で登録した特定のテロップが変化する前後の時間的な映像区間をイベント区間として抽出して、イベント区間記憶部１４に登録する（Ｓ１０８）。このときのイベント区間の抽出方法は、上述した図３に示したとおりである。
すなわち、イベント区間抽出部１３は、ＳＢＯテロップＴ１の一部であるアウトカウント（Ｏ）が変化した場合は、その変化した前後の時間軸ｔ上の映像区間をイベント区間として抽出する（図３参照）。また、イベント区間抽出部１３は、進塁状況テロップＴ２が変化した場合は、その変化した前後の時間軸ｔ上の映像区間をイベント区間として抽出する（図３参照）。さらに、イベント区間抽出部１３は、スコアテロップＴ３が変化した場合は、その変化した前後の時間軸ｔ上の映像区間をイベント区間として抽出する（図３参照）。
このようにして、映像情報に含まれる複数のイベント区間がイベント区間記憶部１４に登録される。
【００２５】
次に、第１補正部１６および第２補正部１７が、イベント区間記憶部１４に登録されたイベント区間を補正する場合の処理例について説明する。
図５は、第１補正部１６および第２補正部１７の処理例を示すフローチャートである。
まず、第１補正部１６（補正装置１００）は、イベント区間記憶部１４のイベント区間を参照して、すべてのイベント区間についての補正処理が終了したかどうかを判断する（Ｓ２０１）。そして、終了したと判断された場合（Ｓ２０１のＹｅｓ）、処理を終了し、他方、終了していないと判断された場合（Ｓ２０１のＮｏ）、第１補正部１６は、イベント区間記憶部１４から１つのイベント区間を取り出し、そのイベント区間のＩＮ点およびＯＵＴ点を設定する。具体的には、第１補正部１６は、補正対象のイベント区間の開始時刻（ＩＮ点）および終了時刻（ＯＵＴ点）を設定する。
【００２６】
続いて、第１補正部１６は、テロップ記憶部１２のテロップを参照して、Ｓ２０２で設定したＩＮ点とＯＵＴ点との間で表示が消えたＳＢＯテロップＴ１（図２参照）が存在するかどうかを判断する（Ｓ２０３）。本実施の形態においては、第１補正部１６において判断対象となる特定のテロップは、ＳＢＯテロップの場合で説明するが、他の特定のテロップを適用してもよい。
【００２７】
そして、ＳＢＯテロップＴ１が存在しなかった場合は（Ｓ２０３のＮｏ）、後述するＳ２０５に進む。他方、ＳＢＯテロップＴ１が存在した場合は（Ｓ２０３のＹｅｓ）、第１補正部１６は、Ｓ２０２でＩＮ点およびＯＵＴ点を設定したイベント区間において、テロップ記憶部１２のＳＢＯテロップＴ１が最後に消えた時刻、すなわち消去時刻から一定時間（例えば、２秒）遡った時刻をそのイベント区間のＩＮ点とする補正を行う（Ｓ２０４）。ここで、最後に消えた時刻とあるのは、イベント区間内に複数のＳＢＯテロップＴ１が存在する場合、それらのＳＢＯテロップＴ１のうち、最も遅い時間に表示されたＳＢＯテロップＴ１が消えた時刻という意味である。
なお、上述した一定時間は、あらかじめ設定しておくものとするが、可変するようにしてもよい。
【００２８】
このような第１補正部１６の補正例を図６に示す。この例では、時刻ｔ１（例えば、19時30分00秒）のＩＮ点から時刻ｔ２（例えば、19時32分00秒）のＯＵＴ点までのイベント区間があげられている（図６中、上段参照）。そして、そのイベント区間において、最初に表示されたＳＢＯテロップが最後のＳＢＯテロップになっているので、そのＳＢＯテロップが消えた時刻ｔ１２（例えば、19時30分00秒）から、一定時間（例えば、２秒）遡った時刻ｔ１１（例えば、19時29分58秒）がそのイベント区間のＩＮ点になるように補正されている（図６中、下段参照）。このようにして、イベント区間のＩＮ点が補正される。
【００２９】
図５に戻って、Ｓ２０５において、第２補正部１７（補正装置１００）は、テロップ記憶部１２のテロップを参照して、Ｓ２０２で設定されたＩＮ点とＯＵＴ点との間にスコア一覧テロップＴ４（図２参照）が存在するかどうかを判断する。本実施の形態においては、第２補正部１７において判断対象となる特定のテロップは、スコア一覧テロップＴ４の場合で説明するが、他の特定のテロップを適用してもよい。
【００３０】
そして、スコア一覧テロップＴ４が存在しなかった場合は（Ｓ２０５のＮｏ）、Ｓ２０１に戻る。他方、スコア一覧テロップＴ４が存在した場合は（Ｓ２０５のＹｅｓ）、第２補正部１７は、Ｓ２０２で設定されたイベント区間において、テロップ記憶部１２のスコア一覧テロップＴ４が最初に表示された表示時刻をそのイベント区間のＯＵＴ点とする補正を行い（Ｓ２０６）、Ｓ２０１に戻る。これにより、スコア一覧テロップＴ４が表示されたタイミング、すなわちイニングが終了したタイミングで、イベント区間のＯＵＴ点が特定される。
ここで、Ｓ２０５において、最初に表示された表示時刻とあるのは、イベント区間内に複数のスコア一覧テロップＴ４が存在する場合、それらのスコア一覧テロップＴ４のうち、最も早い時間に表示されたスコア一覧テロップＴ４の表示時間という意味である。
【００３１】
このような第２補正部１７の補正例を図７に示す。この例では、時刻ｔ８（例えば、20時30分00秒）のＩＮ点から時刻ｔ１０（例えば、20時32分00秒）のＯＵＴ点までのイベント区間があげられている（図７中上段参照）。そして、そのイベント区間において、スコア一覧テロップＴ４が最初に表示された表示時刻ｔ９（例えば、20時31分30秒）がそのイベント区間のＯＵＴ点になるように補正されている（図７中下段参照）。このようにして、イベント区間のＯＵＴ点が補正される。
【００３２】
このようにして、すべてのイベント区間について、Ｓ２０１からＳ２０６までの処理が繰り返され、イベント区間のＩＮ点やＯＵＴ点が補正される。
そして、出力部１８（補正装置１００）が、第１補正部１６および第２補正部１７により補正されたイベント区間を外部装置（例えばコンピュータ）に出力する。
【００３３】
以上のように、本実施の形態によると、補正装置１００は、スポーツ映像記憶部１０のスポーツ映像に含まれるテロップを検出するテロップ検出部１１と、上記テロップのうち、あらかじめ設定されている特定のテロップ（例えば、各種テロップＴ１〜Ｔ３）を抽出し、当該特定のテロップが変化した前後の時間的な区間をイベント区間として抽出するイベント区間抽出部１３とを有する。さらに、この補正装置１００は、イベント区間内に、特定のテロップ（例えば、ＳＢＯテロップＴ１）の表示が最後に消えた時間を抽出し、その時間から一定時間遡った時間を当該イベント区間の開始点とする補正を行う第１補正部１６と、補正されたイベント区間を外部出力する出力部１８とを有する。これにより、イベント区間のＩＮ点がより正確に抽出されることになる。
また、補正装置１００は、第２補正部１７をさらに含み、第２補正部１７は、イベント区間内に、別のテロップ（例えば、スコア一覧テロップＴ４）が最初に表示された時間を当該イベント区間の終了点とする補正を行う。これにより、イベント区間のＯＵＴ点がより正確に抽出されることになる。
よって、ダイジェスト視聴の対象となるスポーツ映像のイベント区間をより正確に抽出することができる。
【００３４】
なお、本発明は、上述した実施の形態に限られず、本発明の趣旨を逸脱しない限り、変更してもよい。例えば、イベント区間のＩＮ点およびＯＵＴ点は、時刻で特定する場合について説明したが、再生カウンタのカウンタ値で示された時間により上述したＩＮ点およびＯＵＴ点を特定してもよい。
また、補正装置１００は、１台のコンピュータの場合について説明したが、複数台のコンピュータを用いて分散処理するように構成してもよい。さらに、補正装置１００は、ＬＳＩ(Large Scale Integration)で実現するようにしてもよいし、１チップ化してもよい。
【図面の簡単な説明】
【００３５】
【図１】本発明の実施の形態におけるスポーツ映像のイベント区間補正装置の構成例を示す図である。
【図２】図１のスポーツ映像記憶部の映像情報を示す説明図である。
【図３】図１のイベント区間抽出部の抽出例を示す図である。
【図４】図１のテロップ検出部およびイベント区間抽出部の処理例を示すフローチャートである。
【図５】図１の第１補正部および第２補正部の処理例を示すフローチャートである。
【図６】図１の第１補正部の補正例を示す図である。
【図７】図１の第２補正部の補正例を示す図である。
【符号の説明】
【００３６】
１０    スポーツ映像記憶部
１１    テロップ検出部
１２    テロップ記憶部
１３    イベント区間抽出部
１４    イベント区間記憶部
１５    特定テロップ記憶部
１６    第１補正部
１７    第２補正部
１８    出力部
ＴＩ    ＳＢＯテロップ（特定のテロップ）
Ｔ２    進塁状況テロップ（特定のテロップ）
Ｔ３    スコアテロップ（特定のテロップ）
Ｔ４    スコア一覧テロップ（別のテロップ）
１００  イベント区間補正装置
【図１】
2007274400.tif 000003
【図２】
2007274400.tif 000004
【図３】
2007274400.tif 000005
【図４】
2007274400.tif 000006
【図５】
2007274400.tif 000007
【図６】
2007274400.tif 000008
【図７】
2007274400.tif 000009